(57)【特許請求の範囲】
【請求項１】
旋回体と、この旋回体に取り付けた作業装置と、上記旋回体上に配置した運転席と、この運転席の後方に配置したカウンタウェイトと、上記旋回体上に配置され、エンジンの排気ガスが導かれるマフラと、このマフラから排出された排気ガスを上記カウンタウェイトの上方位置で放出させる排気口を有する排気管と、この排気管への接触を防ぐ排気管カバーとを備えた作業機械において、
上記排気管カバーを上記排気管に保持させるカバー保持部を備え、
上記カバー保持部は、
上記排気管の周面を囲むように、上記排気管との間に隙間をもって配置した環状部材と、この環状部材との溶接部を有すると共に上記排気管の周囲との溶接部を有する支持部材と、上下方向に延設し、下方部分が上記環状部材との溶接部を有し、上記排気管の周囲に沿う曲げ加工部を有する立設部材と、この立設部材に上記排気管カバーを取り付ける取り付け手段とを備えたことを特徴とする作業機械。
【請求項２】
請求項１に記載の作業機械において、
上記排気管カバーは、それぞれ排気管の延設方向に沿うように延設され、上記排気管を挟むように互いに隙間をもって配置した第１分割カバー部と第２分割カバー部とを含み、
上記支持部材は、上記排気管を挟んで互いに対向するように配置した一対の支持部材から成り、
上記立設部材は、上記排気管を挟んで互いに対向するように配置され、それぞれ上記排気管カバーの上記第１分割カバー部または上記第２分割カバー部が取り付けられる一対の立設部材から成ることを特徴とする作業機械。
【請求項３】
請求項２に記載の作業機械において、
上記一対の支持部材を上記排気管の上方部分に固定したことを特徴とする作業機械。
【請求項４】
請求項３に記載の作業機械において、
上記一対の支持部材と上記一対の立設部材を、平面視で互いに直交するように配置したことを特徴とする作業機械。
【請求項５】
請求項４に記載の作業機械において、
上記カバー保持部を１つ設け、上記第１分割カバー部と上記第２分割カバー部のそれぞれの上方部分を上記カバー保持部に保持させるとともに、上記第１分割カバー部及び上記第２分割カバー部のそれぞれの下端部を上記カウンタウェイトに固定したことを特徴とすることを特徴とする作業機械。
【発明の詳細な説明】
【技術分野】
【０００１】
本発明は、エンジンの排気ガスを旋回体の上方位置で放出する排気口を有する排気管と、この排気管の周面を囲むように、排気管との間で隙間をもって配置される排気管カバーとを備えた作業機械に関する。
【背景技術】
【０００２】
この種の従来技術として、特許文献１に示されるものがある。この従来技術は、エンジンの排気ガスを旋回体の上方位置で放出させる排気口を有する排気管と、この排気管を囲むように配置され、上下方向に延設される断熱材と、この断熱材を囲むように配置され、長尺体から成る筒状部材すなわち外筒と、この外筒に取り付け部材を介して取り付けられる保護カバー、すなわち排気管への接触を防ぐ排気管カバーとを備えた構成が開示されている。
【先行技術文献】
【特許文献】
【０００３】
【特許文献１】特開２００７−６２５０６号公報
【発明の概要】
【発明が解決しようとする課題】
【０００４】
上述した従来技術は、排気管と外筒との間に、排気管の熱を外筒に伝えにくくする断熱材を、排気管の延設方向に沿って設けることから製作費が高くなる問題がある。また、長尺体から成る外筒を設ける点でも製作費が高くなる問題がある。
【０００５】
本発明は、上述した従来技術における実状からなされたもので、その目的は、断熱材を要することなく排気管から排気管カバーへ伝えられる熱の温度を下げることができる作業機械を提供することにある。
【課題を解決するための手段】
【０００６】
この目的を達成するために、本発明は、旋回体と、この旋回体に取り付けた作業装置と、上記旋回体上に配置した運転席と、この運転席の後方に配置したカウンタウェイトと、上記旋回体上に配置され、エンジンの排気ガスが導かれるマフラと、このマフラから排出された排気ガスを上記カウンタウェイトの上方位置で放出させる排気口を有する排気管と、この排気管への接触を防ぐ排気管カバーとを備えた作業機械において、上記排気管カバーを上記排気管に保持させるカバー保持部を備え、上記カバー保持部は、上記排気管の周面を囲むように、上記排気管との間に隙間をもって配置した環状部材と、この環状部材との溶接部を有すると共に上記排気管の周囲との溶接部を有する支持部材と、上下方向に延設し、下方部分が上記環状部材との溶接部を有し、上記排気管の周囲に沿う曲げ加工部を有する立設部材と、この立設部材に上記排気管カバーを取り付ける取り付け手段とを備えたことを特徴としている。
【０００７】
このように構成した本発明は、排気管の周面に固定した支持部材と、この支持部材によって支持される環状部材と、この環状部材に固定した立設部材と、この立設部材に設けられる取り付け手段とを介して排気管カバーを保持させることができる。
【０００８】
本発明にあっては、排気ガスに熱せられた排気管の熱は、排気管の周面に固定した支持部材に伝えられ、この支持部材から排気管との間に隙間をもって配置した環状部材に伝えられ、さらにこの環状部材から当該環状部材に固定され、上下方向に延設させた立設部材に伝えられ、立設部材から取り付け手段を介して当該立設部材に取り付けられる排気管カバーに伝えられる。したがって、排気管から支持部材に伝えられた熱は主に、支持部材と立設部材との間に位置する環状部材の部分で冷却された後、環状部材に取り付けられた立設部材の部分と、排気管カバーが取り付けられる取り付け手段が設けられる立設部材の部分との間で冷やされて、立設部材から取り付け部材を介して排気管カバーへと伝えられる。これらにより、排気管から排気管カバーへ伝えられる熱を排気管を囲むように配置される断熱材を要することなく下げることができる。したがって、本発明に備えられる排気管カバーに接触した際の安全性が確保される。また本発明は、断熱材を要さず、長尺体を形成する筒状部材も要さずに、排気管との間に隙間をもって配置される環状部材を介して排気管カバーを排気管に保持させることができる。これにより本発明は、構造の簡単な排気管カバー保持構造を実現させることかできる。また、立設部材は曲げ加工されているので比較的大きな強度を確保することができる。
【０００９】
また本発明は、上記発明において、上記排気管カバーは、それぞれ排気管の延設方向に沿うように延設され、上記排気管を挟むように互いに隙間をもって配置した第１分割カバー部と第２分割カバー部とを含み、上記支持部材は、上記排気管を挟んで互いに対向するように配置した一対の支持部材から成り、上記立設部材は、上記排気管を挟んで互いに対向するように配置され、それぞれ上記排気管カバーの上記第１分割カバー部または上記第２分割カバー部が取り付けられる一対の立設部材から成ることを特徴としている。
【００１０】
本発明は、排気管カバーに含まれる第１分割カバー部を、排気管に固定した一対の支持部材と、これらの支持部材によって支持される環状部材と、この環状部材に固定した一対の立設部材のうちの一方を介して排気管に取り付けることができる。また、排気管カバーに含まれる第２分割カバー部を、排気管に固定した一対の支持部材と、これらの支持部材によって支持される環状部材と、この環状部材に固定した一対の立設部材のうちの他方を介して排気管に取り付けることができる。これらにより、排気管カバーに含まれる第１分割カバー部と第２分割カバー部とを排気管に安定して立設保持させることができる。
【００１１】
また本発明は、対向する第１分割カバー部と第２分割カバー部との間に互いに隙間を形成したことから、排気管の熱が第１分割カバー部及び第２分割カバー部と、排気管との間にこもらず、排気管の熱を上述の隙間から外部に放出させることができる。したがって、このようなこもり熱による第１分割カバー部及び第２分割カバー部の加熱を抑えることができる。
【００１２】
また本発明は、上記発明において、上記一対の支持部材を上記排気管の上方部分に固定したことを特徴としている。
【００１３】
このように構成した本発明は、カバー保持部における排気管カバーの取り付け位置を、排気管の上方の高い位置とすることができる。排気管の下方部分は、マフラから排出される排気ガスの導入部付近に位置し、排気ガスの高い温度によりその下方部分の温度が高くなる。これに対して、排気管の上方部分は、排気ガスの上昇に伴う温度低下により、その上方部分の温度が下方部分に比べて低くなる。このように温度が低下した排気管の上方部分の熱が支持部材、環状部材、立設部材を介して排気管カバーに含まれる第１分割カバー部及び第２分割カバー部に伝えられるので、カバー保持部によって排気管に取り付けられたこれらの第１分割カバー部及び第２分割カバー部の温度を比較的低く抑えることができる。
【００１４】
また本発明は、上記発明において、上記一対の支持部材と上記一対の立設部材を、平面視で互いに直交するように配置したことを特徴としている。
【００１５】
このように構成した本発明は、平面視で一対の支持部材を左右に等分に分割する仮想的な中心線を考えた場合、第１分割カバー部側と第２分割カバー部側にそれぞれ位置する環状部材の部分、及び一対の立設部材が、上述の中心線に対して対称に配置されるので左右の安定した重量バランスを確保でき、これによって第１分割カバー部と、第２分割カバー部の排気管に対する安定保持を実現させることができる。また、支持部材から環状部材、立設部材を介して第１分割カバー部、あるいは第２分割カバー部に伝えられる伝熱経路を比較的長い経路とすることができ、これによって第１分割カバー部及び第２分割カバー部の温度上昇の抑制に貢献する。
【００１６】
また本発明は、上記発明において、上記カバー保持部を１つ設け、上記第１分割カバー部と上記第２分割カバー部のそれぞれの上方部分を上記カバー保持部に保持させるとともに、上記第１分割カバー部及び上記第２分割カバー部のそれぞれの下端部を上記カウンタウェイトに固定したことを特徴としている。
【００１７】
このように構成した本発明は、第１分割カバー部及び第２分割カバー部のそれぞれの上方部分がカバー保持部によって保持され、下方部分がカウンタウェイトに固定されるので、これらの第１分割カバー部及び第２分割カバー部を、周囲の部材に接触しない自立した状態で安定に立設保持させることができる。また、部材数が多くなりがちなカバー保持部を１つだけ備えたことから、製作費の節減に貢献する。
【発明の効果】
【００１８】
本発明は、排気管カバーを排気管に保持させるカバー保持部を備え、このカバー保持部は、排気管の周面を囲むように、排気管との間に隙間をもって配置した環状部材と、この環状部材を支持し排気管の周囲に固定した支持部材と、環状部材に固定され、上下方向に延設させた立設部材と、この立設部材に排気管カバーを取り付ける取り付け手段とを備えた構成にしてある。この構成に伴って、断熱材を要することなく、また従来備えられていたような長尺体を形成する筒状部材を要することなく、排気管から排気管カバーへ伝えられる熱の温度を下げることができる。これにより、構造の簡単な排気管カバー保持構造を実現させることができ、従来に比べて製作費を低減させることができる。また本発明は、立設部材が曲げ加工されているので比較的大きな強度を確保することができる。
【図面の簡単な説明】
【００１９】
【図１】本発明に係る作業機械の一実施形態を構成するミニショベルの車体を示す側面図である。
【図２】図１に示すミニショベルに備えられる車体の背面図である。
【図３】図１に示すミニショベルの車体を斜め前方から見た斜視図である。
【図４】図１に示すミニショベルの車体の平面図である。
【図５】図１に示すミニショベルの運転席に座ったオペレータと、後側左支柱及び排気管の位置関係を示す図で、（ａ）図は背面図、（ｂ）図は平面図である。
【図６】本実施形態に備えられる排気管の排気口の高さ位置を説明する図である。
【図７】本実施形態に備えられる排気管及び排気管カバーを示す図で、（ａ）図は正面図、（ｂ）図は平面図、（ｃ）図は正面側から見た斜視図、（ｄ）図は（ａ）図は背面側から見た斜視図である。
【図８】本実施形態に備えられる排気管及び排気管カバーを示す図で、（ａ）図は背面図、（ｂ）図は（ａ）図のＢ−Ｂ断面図、（ｃ）図は（ａ）図のＣ−Ｃ断面図、（ｄ）図は（ａ）図のＡ−Ａ断面図、（ｅ）図は側面図である。
【図９】本実施形態に備えられる排気管及び排気管カバーのそれぞれ上方部分を示す拡大斜視図である。
【図１０】本実施形態に備えられるカバー保持部を示す図で、（ａ）図はカバー保持部を分解して示した斜視図、（ｂ）図はカバー保持部を排気管に取り付けた状態を示す斜視図である。
【図１１】本実施形態に備えられるカバー保持部を示す図で、（ａ）図はカバー保持部を排気管に取り付けた状態を示す拡大斜視図、（ｂ）図はカバー保持部を排気管に取り付けた状態を示す拡大平面図である。
【図１２】本実施形態に備えられる排気管及び排気管カバーの取り付け関係を示す分解斜視図である。
【図１３】本実施形態に備えられるテールパイプと排気管の配置関係を示す要部断面図である。
【発明を実施するための形態】
【００２０】
以下、本発明に係る作業機械の実施の形態を図に基づいて説明する。
【００２１】
図１は本発明に係る作業機械の一実施形態を構成するミニショベルの車体を示す側面図、図２は図１に示すミニショベルに備えられる車体の背面図、図３は図１に示すミニショベルの車体を斜め前方から見た斜視図、図４は図１に示すミニショベルの車体の平面図、図５は図１に示すミニショベルの運転席に座ったオペレータと、後側左支柱及び排気管の位置関係を示す図で、（ａ）図は背面図、（ｂ）図は平面図である。
【００２２】
図１〜４に示すように、本実施形態に係る作業機械は、例えばミニショベルから成っている。本実施形態は、走行体１と、この走行体１上に配置される旋回体２と、この旋回体２の前側に配置された支持部１６に支持される図示しない作業装置とを備えている。作業装置は、ブーム、アーム、バケット等を備え、土砂の掘削作業等を実施することができる。上述した走行体１と旋回体２は車体を構成している。
【００２３】
旋回体２の旋回フレーム２ａ上には、運転席３が配置され、この運転席３を覆うように配置されるキャノピ４を設けてある。キャノピ４は、例えば４柱を有するキャノピから成っている。すなわち、キャノピ４は、前側右支柱５ａと、前側左支柱５ｂと、後側右支柱５ｃと、後側左支柱５ｄとを備えている。また、このキャノピ４は、支柱５ａ〜５ｄの上部に配置され、運転席３を覆うルーフ６を備えている。
【００２４】
運転席３の後側に位置する旋回体２の部分には、重量バランスを確保するカウンタウェイト７を設けてある。このカウンタウェイト７には、エンジンの排気ガスをカウンタウェイト７の上方位置で放出する排気口１３ａを有する排気管１３を立設させてある。また、排気管１３の周面を囲むように配置され、排気管１３への接触を防ぐ排気管カバー２１を備えている。
【００２５】
本実施形態は、図４に示すように、運転席３のシップポイントすなわち座席基準点１７と、例えば後側左支柱５ｄとを結ぶ仮想的な直線１８の近傍位置に、排気管１３及び排気管カバー２１を配置してある。これにより、図５に示すように、運転席３にオペレータ２２が着座した際には、排気管１３及び排気管カバー２１がオペレータの背後に位置する状態となる。
【００２６】
図６は本実施形態に備えられる排気管の排気口の高さ位置を説明する図である。
【００２７】
本実施形態に係るミニショベルは、図６に示すように、排気管１３の高さ寸法を、排気口１３ａがキャノピ４のルーフ６の最上部６ａの高さ寸法６ａ１と、最下部６ｂの高さ寸法６ｂ１との間の高さ領域２３に含まれるような高さ寸法に設定してある。すなわち、排気口１３ａの上端がルーフ６の最上部６ａの高さ位置６ａ１よりも上方に位置しないように、また、排気口１３ａの下端がルーフ６の最下部６ｂの高さ位置６ｂ１により下方に位置しないように、排気管１３の高さ寸法を設定してある。さらに、排気管１３の排気口１３ａの向きが例えば後方を向くように、この排気管１３を配置してある。当該ミニショベルが設置される地面から排気管１３の排気口１３ａまでの高さ寸法は、大人の平均身長以上の高さ寸法、例えば１７０ｃｍ以上の高さ寸法に設定してある。
【００２８】
図７は本実施形態に備えられる排気管及び排気管カバーを示す図で、（ａ）図は正面図、（ｂ）図は平面図、（ｃ）図は正面側から見た斜視図、（ｄ）図は背面側から見た斜視図、図８は第１実施形態に備えられる排気管及び排気管カバーを示す図で、（ａ）図は背面図、（ｂ）図は（ａ）図のＢ−Ｂ断面図、（ｃ）図は（ａ）図のＣ−Ｃ断面図、（ｄ）図は（ａ）図のＡ−Ａ断面図、（ｅ）図は側面図である。
【００２９】
これらの図７，８に示すように、排気管１３の下端には、排気管１３の筒状部に連通する穴部を有し、カウンタウェイト７の上面に固定されるフランジ１９を一体に設けてある。このフランジ１９は、ボルト１５によってカウンタウェイト７の上面に固定される。
【００３０】
本実施形態は、排気管カバー２１の下端部分に、図示しないブラシ等の清掃具の挿入を許容させる開口部３０を形成する切り欠き部を備えている。図１に示すように、開口部３０が、例えば運転席３の側にのみ位置するように排気管カバー２１を配置してある。この排気管カバー２１は、排気管１３との間に隙間１３ｂをもって配置してある。
【００３１】
同図７，８に示すように、排気管カバー２１は、それぞれ排気管１３の延設方向に沿うように延設され、排気管１３を挟むように互いに隙間２１Ｃをもって対向して配置される第１分割カバー部２１Ａと第２分割カバー部２１Ｂとを含んでいる。また、上述した切り欠き部は、第１分割カバー部２１Ａの下端部分に形成される第１切り欠き部２１Ａ２と、第２分割カバー部２１Ｂの下端部分に形成される第２切り欠き部２１Ｂ２とから成っている。第１分割カバー部２１Ａと第２分割カバー部２１Ｂは、それぞれの下端にカウンタウェイト７の上面に取り付けられる平板状の第１取付け部２１Ａ３、第２取り付け部２１Ｂ３を備えている。これらの取り付け部２１Ａ３，２１Ｂ３は、上述したボルト１５によって排気管１３のフランジ１９と共締めされてカウンタウェイト７に固定されるようになっている。なお、第１分割カバー部２１Ａの側面には、多数のスリット２１Ａ１を形成してある。同様に、第２分割カバー部２１Ｂの側面にも多数のスリットを形成してある。
【００３２】
図９は本実施形態に備えられる排気管及び排気管カバーのそれぞれ上方部分を示す拡大斜視図、図１０は本実施形態に備えられるカバー保持部を示す図で、（ａ）図はカバー保持部を分解して示した斜視図、（ｂ）図はカバー保持部を排気管に取り付けた状態を示す斜視図，図１１は本実施形態に備えられるカバー保持部を示す図で、（ａ）図はカバー保持部を排気管に取り付けた状態を示す拡大斜視図、（ｂ）図はカバー保持部を排気管に取り付けた状態を示す拡大平面図、図１２は本実施形態に備えられる排気管及び排気管カバーの取り付け関係を示す分解斜視図である。
【００３３】
本実施形態は、図９〜１２に示すように、排気管カバー２１を排気管１３に保持させるカバー保持部２４を備えている。このカバー保持部２４は、図１１の（ｂ）図に示すように、排気管１３の周面を囲むように、排気管１３との間に隙間１３ｂをもって配置した環状部材２４ａと、この環状部材２４ａを支持し、排気管１３の周囲に例えば溶接によって固定した後述の支持部材と、環状部材２４ａに例えば溶接によって固定され、上下方向に延設させた後述の立設部材と、この立設部材に排気管カバー２１を取り付ける取り付け手段とを備えている。なお例えば、環状部材２４ａは支持部材に溶接してある。
【００３４】
上述した支持部材は、排気管１３を挟んで互いに対向するように配置した一対の支持部材２４ｂ，２４ｃから成っている。上述した立設部材は、排気管１３を挟んで互いに対向するように配置され、それぞれ排気管カバー２１の第１分割カバー部２１Ａまたは第２分割カバー部２１Ｂが取り付けられ、曲げ加工された一対の立設部材２４ｄ，２４ｅから成っている。
【００３５】
図１０の（ｂ）図、及び図１２に示すように、一対の支持部材２４ｃ，２４ｄは、例えば排気管１３の上方部分に配置してある。これらの支持部材２４ｃ，２４ｄによって支持される環状部材２４ａに、一対の立設部材２４ｄ，２４ｅの下方部分を例えば溶接により固定してある。
【００３６】
立設部材２４ｄ，２４ｅのそれぞれの上部には、めねじ部が形成された取り付け部材２４ｆ，２４ｇを固定してあり、図９に示す該当するボルト２５が取り付け部材２４ｆ，２４ｇのめねじ部に螺合して締結されることにより、第１分割カバー部２１Ａ、第２分割カバー部２１Ｂのそれぞれが排気管１３に保持される。上述した取り付け部材２４ｆ，２４ｇ及びボルト２５によって、立設部材２４ｄ，２４ｅに排気管カバー２１に含まれる第１分割カバー部２１Ａ、第２分割カバー部２１Ｂを取り付ける取り付け手段が構成されている。
【００３７】
図１１の（ｂ）図に示すように、一対の支持部材２４ｂ，２４ｃと、一対の立設部材２４ｄ，２４ｅを、平面視で互いに直交するように配置してある。また、上述した構成のカバー保持部２４を１つ設け、第１分割カバー部２１Ａと第２分割カバー部２１Ｂのそれぞれの上方部分を上述のようにカバー保持部２４に保持させるとともに、第１分割カバー部２１Ａ及び第２分割カバー部２１Ｂのそれぞれの下端部、すなわち第１，第２取り付け部２１Ａ３，２１Ｂ３を上述のようにカウンタウェイト７に固定してある。
【００３８】
なお、図１２に示すように、カウンタウェイト７の上面７ｂにはエンジンの排気ガスが導かれる穴７Ｃを形成してあり、この穴７Ｃの周囲にボルト穴７ｂ１を複数形成してある。排気管１３のフランジ１９に形成した穴１９ａと、第１分割カバー部２１Ａの第１取付け部２１Ａ３に形成した穴とを、カウンタウェイト７の上面７ｂのボルト穴７ｂ１に適合させて、また排気管１３のフランジ１９に形成した穴１９ａと、第２分割カバー部２１Ｂの第２取り付け部２１Ｂ３に形成した穴とを、カウンタウェイト７の上面の他のボルト穴７ｂ１に適合させて、ボルト１５によって第１分割カバー部２１Ａ及び第２分割カバー部２１Ｂと、排気管１３とが締結され、これらの第１分割カバー部２１Ａ及び第２分割カバー部２１Ｂと、排気管１３とがカウンタウェイト７上に図１に示すように、キャノピ４に接触しないように自立した状態で固定され、立設保持されるようになっている。
【００３９】
図１３は本実施形態に備えられるテールパイプと排気管の配置関係を示す要部断面図である。
【００４０】
上述した旋回体２の旋回フレーム２ａ上には、図示しないエンジンの排気ガスが導かれて消音するマフラ１０と、このマフラ１０から排出された排気ガスを導くテールパイプ１１とが配置されている。例えばカウンタウェイト７には、上述した図１２に示すこのカウンタウェイト７の穴７ｃに連通する通路７ａを形成してある。テールパイプ１１は、通路７ａ内に、この通路７ａを形成するカウンタウェイト７の壁面と接触しないように挿入され、その上端１１ａが排気管１３の内部に挿入されるように構成してある。
【００４１】
このように構成した本実施形態は、エンジンの排気ガスがマフラ１０、テールパイプ１１を介して排気管１３に導かれ、この排気管１３の排気口１３ａからカウンタウェイト７の上方位置で外部に放出される。
【００４２】
また、本実施形態によれば、排気管１３の周面に固定した支持部材２４ｂ，２４ｃと、これらの支持部材２４ｂ，２４ｃによって支持される環状部材２４ａと、この環状部材２４ａに固定した立設部材２４ｄ，２４ｅと、これらの立設部材２４ｄ，２４ｅに第１，第２分割カバー部２１Ａ，２１Ｂを取り付ける取り付け部材２４ｆ，２４ｇ及びボルト２５とによって、第１，第２分割カバー部２１Ａ，２１Ｂを安定に保持させることができる。
【００４３】
本実施形態にあっては、排気ガスに熱せられた排気管１３の熱は、排気管１３の周面に固定した支持部材２４ｂ，２４ｃに伝えられ、これらの支持部材２４ｂ，２４ｃから排気管１３との間に隙間１３ｂをもって配置した環状部材２４ａに伝えられ、さらにこの環状部材２４ａから当該環状部材２４ａに固定され、上下方向に延設させた立設部材２４ｄ，２４ｅに取り付けられる第１，第２分割カバー部２１Ａ，２１Ｂに伝えられる。したがって、排気管１３から支持部材２４ｂ，２４ｃに伝えられた熱は主に、支持部材２４ｂ，２４ｃと立設部材２４ｄ，２４ｅとの間に位置する環状部材２４ａの部分で冷やされた後、環状部材２４ａに取り付けられた立設部材２４ｄ，２４ｅの部分と、第１，第２分割カバー部２１Ａ，２１Ｂが取り付けられる取り付け部材２４ｆ，２４ｇ及びボルトが設けられる立設部材２４ｄ，２４ｅの部分との間で冷やされて、立設部材２４ｄ，２４ｅから取り付け部材２４ｆ，２４ｇ及びボルト２５を介して、第１，第２分割カバー部２１Ａ，２１Ｂへと伝えられる。
【００４４】
これらにより、本実施形態によれば、排気管１３から第１，第２分割カバー部２１Ａ，２１Ｂへ伝えられる熱を排気管１３を囲むように配置される断熱材や、長尺体を形成する筒状部材を要することなく下げることができる。したがって、本実施形態に備えられる第１，第２分割カバー部２１Ａ，２１Ｂに接触した際の安全性が確保される。また、この第１実施形態は、断熱材や、長尺体を形成する筒状部材を要さずに、排気管１３との間に隙間１３ｂをもって配置される環状部材２４ａを介して第１，第２分割カバー部２１Ａ，２１Ｂを排気管１３に保持させることができる。これにより、本実施形態は、構造の簡単な排気管カバー保持構造を実現させることができ、製作費を低減させることができる。
【００４５】
また、本実施形態は、排気管カバー２１に含まれる第１分割カバー部２１Ａを、排気管１３に固定した一対の支持部材２４ｂ，２４ｃと、これらの支持部材２４ｂ，２４ｃによって支持される環状部材２４ａと、この環状部材２４ａに固定した一対の立設部材２４ｄ，２４ｅのうちの立設部材２４ｄを介して排気管１３に取り付けることができる。また、第２分割カバー部２１Ｂを、排気管１３に固定した一対の支持部材２４ｂ，２４ｃと、これらの支持部材２４ｂ，２４ｃによって支持される環状部材２４ａと、この環状部材２４ａに固定した立設部材２４ｅを介して排気管１３に取り付けることができる。また、一対の立設部材２４ｄ，２４ｃのそれぞれは、曲げ加工されているので比較的大きな強度を確保することができる。これらにより、排気管カバー２１に含まれる第１カバー部２１Ａと第２カバー部２１Ｂとを排気管１３に安定して立設保持させることができる。
【００４６】
また、本実施形態は、対向する第１分割カバー部２１Ａと第２分割カバー部２１Ｂとの間に互いに隙間２１Ｃを形成したことから、また、第１，第２分割カバー部２１Ａ，２１Ｂの側面にスリット２１Ａ１等を形成したことから、排気管１３の熱が第１分割カバー部２１Ａ及び第２分割カバー部２１Ｂと、排気管１３との間にこもらず、排気管１３の熱を上述の隙間２１Ｃ及びスリット２１Ａ等から外部に放散させることができる。したがって、このようなこもり熱による第１，第２分割カバー部２１Ａ，２１Ｂの加熱を抑えることができる。
【００４７】
また、本実施形態は、一対の支持部材２４ｂ，２４ｃを排気管１３の上方部分に固定し、これらの支持部材２４ｂ，２４ｃによって支持される環状部材２４ａに一対の立設部材２４ｄ，２４ｅの下方部分を固定した構成にしてある。この構成により、カバー保持部２４における排気管カバー２１の取り付け位置を、排気管１３の上部の高い位置とすることができる。ここで排気管１３の下方部分は、マフラ１０から排出される排気ガスの導入部付近に位置し、排気ガスの高い温度によりその下方部分の温度が高くなる。これに対して、排気管１３の上方部分は、排気ガスの上昇に伴う温度低下により、この排気管１３の上方部分の温度が下方部分に比べて低くなる。このように温度が低下した排気管１３の上方部分の熱が支持部材２４ｂ，２４ｃ、環状部材２４ａ、立設部材２４ｄ，２４ｅを介して排気管カバー２１に含まれる第１，第２分割カバー部２１Ａ，２１Ｂに伝えられるので、カバー保持部２４によって排気管１３に取り付けられたこれらの第１，第２分割カバー部２１Ａ，２１Ｂの温度を比較的低く抑えることができる。
【００４８】
また、本実施形態は、一対の支持部材２４ｂ，２４ｃと一対の立設部材２４ｄ，２４ｅを、平面視で互いに直交するように配置してある。平面視で一対の支持部材２４ｄ，２４ｅの中央を通り、これらの支持部材２４ｄ，２４ｅを左右に等分に分割する仮想的な中心線を考えた場合、第１分割カバー部２１Ａ側と第２分割カバー部２１Ｂ側にそれぞれ位置する環状部材２４ａの部分、及び一対の立設部材２４ｄ，２４ｅのそれぞれが、上述の中心線に対して対称に配置されるので、左右の安定した重量バランスを確保でき、これによって第１，第２分割カバー部２１Ａ，２１Ｂの排気管１３に対する安定保持を実現させることができる。また、支持部材２４ｂ，２４ｃから環状部材２４ａ、立設部材２４ｄ，２４ｅを介して第１分割カバー部２１Ａ、あるいは第２分割カバー部２１Ｂに伝えられる伝熱経路を比較的長い経路とすることができ、これによって第１，第２分割カバー部２１Ａ，２１Ｂの温度を下げることに貢献する。
【００４９】
また、本実施形態によれば、第１，第２分割カバー部２１Ａ，２１Ｂのそれぞれの上方部分がカバー保持部２４によって保持され、下方部分がカウンタウェイト７に固定されるので、これらの第１，第２分割カバー部２１Ａ，２１Ｂを、上述のように周囲の部材に接触しない自立した状態で安定に立設保持させることができる。したがって、第１，第２分割カバー部２１Ａ，２１Ｂをこの第１，第２分割カバー部２１Ａ，２１Ｂを取り巻く空気によって冷やすことができるとともに、第１，第２分割カバー部２１Ａ，２１Ｂの熱が周囲の部材に伝えられることが防止される。また、部材数が多くなりがちなカバー保持部２４を１つだけ備えたことから、製作費の節減に貢献する。
【００５０】
また、本実施形態によれば、排気管１３の高さ寸法を、排気口１３ａがキャノピ４のルーフ６の最上部６ａと最下部６ｂとの間に配置される高さ寸法に設定した構成にしてある。この構成に伴って、旋回体２の旋回時等には、排気管１３の排気口１３ａから放出した排気ガスがキャノピ６の最上部６ａと最下部６ｂとの間の部分によって遮られるので、運転席３方向への排気ガスの流れ込みを少なくすることができる。
【００５１】
昨今、排気ガス処理装置を備えた作業機械が提案されてきているが、このような排気ガス処理装置を備えていない作業機械の排気ガスの温度が３００℃程度であったものが、排気ガス処理装置を備えた作業機械の排気ガスの温度は、排気ガス処理時のＮＯｘ、ＰＭ（粒子状物質）の燃焼に伴う高熱の発生によって６００℃位まで上昇する。したがって、このような排気ガス処理装置を備えたミニショベルでは、排気管１３の排気口１３ａから放出した排気ガスの温度が高くなるが、上述したように排気ガスの運転席３方向への流れ込みが少なくなることから、この点からも本実施形態は、排気ガス処理装置を備えたミニショベルとしても特に好適である。
【００５２】
また、本実施形態は、キャノピ４のルーフ６から排気管１３を突出させないようにすることができるので、トレーラに当該ミニショベルを乗せて運搬する際などに受ける高さ規制による制約を緩和させることができる。また、本実施形態は、建物内作業を実施するために建物の入口から進入しようとするときに、入口の高さがルーフ６の高さよりも高くなっている限りは、排気管１３が入口の上部に当たることなく建物内に進入することができる。すなわち、本実施形態は、当該ミニショベルの運搬時や建物内作業時における排気管による制約を緩和させることができる。
【００５３】
また、本実施形態は、排気口１３ａが後方を向くように排気管１３を配置してあるので、排気ガスの放出方向を運転席３とは逆の方向として、放出した排気ガスが運転席３方向へ流れ込まないようにすることができる。
【００５４】
また、本実施形態は、当該ミニショベルが設置される地面から排気管１３の排気口１３ａまでの高さ寸法を大人の平均身長以上の高さ寸法に設定したことから、当該ミニショベルの周囲に存在する人に対する排気ガスからの保護を実現させることができる。
【００５５】
また、本実施形態は、図１３に示すように、カウンタウェイト７にテールパイプ１１が挿入される通路７ａを設け、テールパイプ１１の上端１１ａを排気管１３に挿入させるようにしてあることから、マフラ１０からテールパイプ１１に導かれた排気ガスをカウンタウェイト７の通路７ａを形成する壁面に放射させることがなく、また、テールパイプ１１とカウンタウェイト７の通路を形成する壁面との間に隙間が設けられている。これらのことから、カウンタウェイト７が直接に加熱されることがなく、排気ガスによるカウンタウェイト７の昇温が低くなるように抑えることができる。したがって、排気管１３から排気ガスを放出させる間、カウンタウェイト７への接触による不快感を生じさせないようにすることができる。
【００５６】
また、本実施形態は、図４，５に示すように、運転席３に座ったオペレータ２２が後方を目で確認しようとするとき、運転席３の座席基準点１７と、運転席３の後側に立設する後側左支柱５ｄとを結ぶ仮想的な直線１８上に位置する当該後側左支柱５ｄの背後に排気管１３が完全に、あるいは略完全に隠れた状態になる。したがって、運転席３に座ったオペレータ２２は後側左支柱５ｄによって視界を遮られるものの、排気管１３によって視界を遮られることは少なくなり、当該ミニショベルで実施される作業の作業性を向上させることができる。また、本実施形態は、良好な後方視界を確保できることから、当該ミニショベルの後方に存在する構造物や人に対する安全性を確保することができる。
【００５７】
また、本実施形態によれば、排気ガスが導かれることによって排気管１３が熱くなるが、この排気管１３の表面からの輻射熱が運転席３の背後に立設された後側左支柱５ｄによって遮られる。これにより、運転席３に着座したオペレータ２２に対して、排気ガスの熱による不快な暖かさを与えないようにすることができる。したがって、排気ガスの温度が高温となりやすい上述した排気ガス処理装置を備えた作業機械にあっては、排気管１３の表面温度も高くなりやすい。このように排気管１３の表面温度が高くなり、上述した輻射熱が高くなるミニショベルとしても本実施形態は好適である。
【００５８】
また、本実施形態によれば、排気管カバー２１に含まれる第１，第２分割カバー部２１Ａ，２１Ｂの下端部分に、ブラシ等の清掃具の挿入を許容させる開口部３０を形成する第１，第２切り欠き部２１Ａ２，２１Ｂ２を形成したことから、排気管１３と第１，第２分割カバー部２１Ａ，２１Ｂの隙間１３ｂから枯葉等のゴミが侵入し、排気管１３及び第１，第２分割カバー部２１Ａ，２１Ｂの下端部付近に溜まった場合には、第１，第２分割カバー部２１Ａ，２１Ｂを分解することなく、第１，第２分割カバー部２１Ａ，２１Ｂの下端部分に形成した第１，第２切り欠き部２１Ａ２，２１Ｂ２によって形成される開口部３０にブラシ等の清掃具を挿入して、そのゴミを簡単に清掃除去することができる。これにより、第１，第２分割カバー部２１Ａ，２１Ｂの下端部分に溜まったゴミの清掃作業を能率良く行うことができる。したがって、本実施形態は、上述したように排気ガス処理装置を備え排気ガスの温度が高くなりやすく、枯葉等のゴミの排気管１３への接触を防ぐことが特に要望されるミニショベルとしても好適である。さらに、この第１実施形態は、町中等のように枯葉等のゴミが生じやすい作業環境で活用されることの多いミニショベルに好適である。
【００５９】
また、本実施形態によれば、第１，第２分割カバー部２１Ａ，２１Ｂの第１，第２切り欠き部２１Ａ２，２１Ｂ２によって形成される開口部３０が運転席３の側のみに位置するように、第１，第２分割カバー部２１Ａ，２１Ｂを配置してあることから、開口部３０が運転席３の側に隠れた状態となり、これにより熱せられた排気管１３への接触を防ぐことができる。また、本実施形態は、排気管１３及び第１，第２分割カバー部２１Ａ，２１Ｂの近傍であって運転席３側に形成され、開口部３０に連通する隙間部分、すなわち運転席３と第１，第２分割カバー部２１Ａ，２１Ｂとの間に形成される隙間部分にゴミが侵入した場合でも、その隙間部分のゴミを開口部３０に溜まっているゴミと一緒に、ブラシ等の清掃具によって清掃除去することができる。
【００６０】
また、本実施形態によれば、第１分割カバー部２１Ａと第２分割カバー部２１Ｂとの間に形成された隙間２１Ｃから、排気ガスによる排気管１３の熱を放散させることができるので、排気管１３と第１，第２分割カバー部２１Ａ，２１Ｂとの間に排気管１３の熱がこもって、第１，第２分割カバー部２１Ａ，２１Ｂが加熱することを防止できる。なお、第１，第２分割カバー部２１Ａ，２１Ｂの隙間２１Ｃから侵入し、排気管１３及び第１，第２分割カバー部２１Ａ，２１Ｂの下端部付近に溜まった枯葉等のゴミも、開口部３０にブラシ等の清掃具を挿入することにより簡単に清掃除去することができる。
【００６１】
また、カウンタウェイト７の上面７ｂに第１，第２取り付け部２１Ａ３，２１Ｂ３を取り付けることにより、第１分割カバー部２１Ａと第２分割カバー部２１Ｂとを含む排気管カバー２１を安定して立設保持させることができる。
【００６２】
なお、上記実施形態は、運転席３の座席基準点１７とキャノピ４の後側左支柱５ｄとを結ぶ仮想的な直線１８の近傍位置に排気管１３及び排気管カバー２１を配置したが、直線１８上に排気管１３及び排気管カバー２１を配置した構成にしてもよい。
【００６３】
また、上記実施形態は、運転席３の座席基準点１７とキャノピ４の後側左支柱５ｄとを結ぶ仮想的な直線１８の近傍位置に排気管１３及び排気管カバー２１を配置したが、運転席３の座席基準点１７とキャノピ４の後側右支柱５ｃとを結ぶ仮想的な直線上に、またはその仮想的な直線の近傍位置に、排気管１３及び排気管カバー２１を配置した構成にしてもよい。このように構成したものも、運転席３に着座したオペレータ等の良好な後方視界を確保することができる。
【００６４】
また、上記実施形態は、排気口１３ａが運転室３の後方を向くように排気管１３を配置してあるが、排気口１３ａが側方を向くように排気管１３を配置してもよい。
【００６５】
また、上記実施形態は、排気管カバー２１を排気管１３に保持させるカバー保持部２４を、排気管１３の上方部分に１つだけ設けたが、排気管カバー２１の下端部分をカウンタウェイト７に固定せず、排気管１３の上方部分と、下方部分の双方に設けたカバー保持部２４によって排気管カバー２１を排気管１３に保持させるように構成してもよい。
【００６６】
また、上記実施形態に係る作業機械はミニショベルから成っているが、本発明は、ミニショベルには限られない。本発明は、ミニショベルよりも大きな型式となる油圧ショベル等の作業機械にも適用可能である。
【符号の説明】
【００６７】
１    走行体（車体）
２    旋回体（車体）
３    運転席
７    カウンタウェイト
１０    マフラ
１１    テールパイプ
１３    排気管
１３ａ  排気口
１３ｂ  隙間
１６    支持部
２１    排気管カバー
２１Ａ  第１分割カバー部
２１Ｂ  第２分割カバー部
２１Ｃ  隙間
２２    オペレータ
２４    カバー保持部
２４ａ  環状部材
２４ｂ  支持部材
２４ｃ  支持部材
２４ｄ  立設部材
２４ｅ  立設部材
２４ｆ  取り付け部材
２４ｇ  取り付け部材
２５    ボルト
３０    開口部
【図１】
0005883324.tif 000002
【図２】
0005883324.tif 000003
【図３】
0005883324.tif 000004
【図４】
0005883324.tif 000005
【図５】
0005883324.tif 000006
【図６】
0005883324.tif 000007
【図７】
0005883324.tif 000008
【図８】
0005883324.tif 000009
【図９】
0005883324.tif 000010
【図１０】
0005883324.tif 000011
【図１１】
0005883324.tif 000012
【図１２】
0005883324.tif 000013
【図１３】
0005883324.tif 000014